(57)【要約】【課題】  機能性とファッション性の両方を兼ね備えた従来に無いバンド・ベルト用留具を提供することにある。【解決手段】  バンド・ベルト用留具１０は、バンド又はベルトの一端側に取り付ける雄パーツ２０と、バンド又はベルトの他端側に取り付ける雌パーツ３０とを備える。雄パーツ２０は、雌パーツ３０と係合するために反バンド又はベルト側に設けられた係止部２１と、反バンド又はベルト側へ回動して雌パーツ３０を被嵌する蓋体２５を有する。雌パーツ３０は、雄パーツ２０の係止部２１を係止させるための係止受部３１を有する。【選択図】  図１
0003159863.tif 000002
【実用新案登録請求の範囲】
【請求項１】
バンド又はベルトの両端を着脱可能にするために用いられるバンド・ベルト用留具であって、
バンド又はベルトの一端側に取り付ける雄パーツと、バンド又はベルトの他端側に取り付ける雌パーツとを備え、
雄パーツは、雌パーツと係合するために反バンド又はベルト側に設けられた係止部と、反バンド又はベルト側へ回動して雌パーツを被嵌する蓋体とを有し、
雌パーツは、雄パーツの係止部を係止させるための係止受部を有することを特徴とするバンド・ベルト用留具。
【請求項２】
雄パーツの係止部は、略Ｊ字形に折曲した先端部を備えるとともに、雌パーツの係止受部は、バンド又はベルトの幅方向に延伸して当該先端部に嵌合する棒状体からなることを特徴とする請求項１記載のバンド・ベルト用留具。
【請求項３】
雄パーツの蓋体は、雌パーツに被嵌した状態において係止部の先端部に嵌合する係止受部に当接する当接部材を備えたことを特徴とする請求項２記載のバンド・ベルト用留具。
【請求項４】
雄パーツの蓋体は、雌パーツに設けられた凹部又は凸部に嵌合する凸部又は凹部を有することを特徴とする請求項１から３のいずれかに記載のバンド・ベルト用留具。
【請求項５】
請求項１から４のいずれかに記載のバンド・ベルト用留具を備えたことを特徴とするバンド。
【請求項６】
請求項１から４のいずれかに記載のバンド・ベルト用留具を備えたことを特徴とするベルト。
【考案の詳細な説明】
【技術分野】
【０００１】
本願考案は、バンド又はベルトの両端を着脱可能にするために用いられるバンド・ベルト用留具に関するものである。
【背景技術】
【０００２】
従来から、バンド又はベルトの両端を着脱可能にするために用いられるバンド・ベルト用留具に関する先行技術文献は多数存在されている。例えば、特許文献１はバンド用留具、特許文献２はベルト用留具に関する先行技術文献である。
【先行技術文献】
【特許文献】
【０００３】
【特許文献１】実用新案登録第３０６１０７５号公報
【特許文献２】実用新案登録第３１３２９６９号公報
【考案の概要】
【考案が解決しようとする課題】
【０００４】
これら従来のバンド・ベルト用留具に対して、本願考案者は、機能性とファッション性の両方を兼ね備えた従来に無いバンド・ベルト用留具を提供すべく研究及び開発を行い、本願考案を完成するに至った。
【課題を解決するための手段】
【０００５】
上記目的を達成するために、第１の考案は、バンド又はベルトの両端を着脱可能にするために用いられるバンド・ベルト用留具であって、バンド又はベルトの一端側に取り付ける雄パーツと、バンド又はベルトの他端側に取り付ける雌パーツとを備え、雄パーツは、雌パーツと係合するために反バンド又はベルト側に設けられた係止部と、反バンド又はベルト側へ回動して雌パーツを被嵌する蓋体とを有し、雌パーツは、雄パーツの係止部を係止させるための係止受部を有することを特徴とするものである。
第２の考案は、雄パーツの係止部が、略Ｊ字形に折曲した先端部を備えるとともに、雌パーツの係止受部は、バンド又はベルトの幅方向に延伸して当該先端部に嵌合する棒状体からなることを特徴とする同バンド・ベルト用留具である。
第３の考案は、雄パーツの蓋体が、雌パーツに被嵌した状態において係止部の先端部に嵌合する係止受部に当接する当接部材を備えたことを特徴とする同バンド・ベルト用留具である。
第４の考案は、雄パーツの蓋体が、雌パーツに設けられた凹部又は凸部に嵌合する凸部又は凹部を有することを特徴とする同バンド・ベルト用留具である。
第５の考案は、上記第１から第４の考案に係るバンド・ベルト用留具を備えたことを特徴とするバンドである。
第６の考案は、上記第１から第４の考案に係るバンド・ベルト用留具を備えたことを特徴とするベルトである。
【考案の効果】
【０００６】
本願考案によれば、以下のような効果を有する。
（１）極めてシンプルな構造でありながら、機能性とファッション性の両方を兼ね備えた従来に無いバンド・ベルト用留具を提供できる。
（２）特に、雄パーツの蓋体が、雌パーツに被嵌した状態において係止部の先端部に嵌合する係止受部に当接する当接部材を備えることで、雄パーツと雌パーツの係合状態を確実に維持できるので、機能性に優れたものとなっている。
（３）また、シンプルな構造であるために多様なデザインバリエーションに対応することが可能となり、ファッション性にも優れたものとなっている。
【図面の簡単な説明】
【０００７】
【図１】本願考案に係るバンド・ベルト用留具を示す説明用斜視図（１）。
【図２】本願考案に係るバンド・ベルト用留具を示す説明用斜視図（２）。
【図３】本願考案に係るバンド・ベルト用留具を示す説明用断面図。
【考案を実施するための形態】
【０００８】
本願考案に係る実施形態を図面に基づいて説明する。
図１及び図２は、本願考案に係るバンド・ベルト用留具を示す説明用斜視図である。
図１（Ａ）に図示するように、バンド・ベルト用留具１０は、バンド又はベルト（図示省略、以下に同じ）の一端側に取り付ける雄パーツ２０と、バンド又はベルトの他端側に取り付ける雌パーツ３０とを備える。
【０００９】
そして、雄パーツ２０は、雌パーツ３０と係合するために反バンド又はベルト側に設けられた係止部２１と、反バンド又はベルト側へ回動して雌パーツ３０を被嵌する蓋体２５とを有する。また、雌パーツ３０は、雄パーツ２０の係止部２１を係止させるための係止受部３１を有する。
【００１０】
図１（Ｂ）及び図２（Ａ）に図示するように、雄パーツ２０は蓋体２５を開いた状態で、雌パーツ３０のバンド又はベルトの幅方向に延伸する棒状体の係止受部３１を、雄パーツ２０の略Ｊ字形に折曲した先端部２２を備える係止部２１に嵌合させる。
【００１１】
そして、図２（Ｂ）に図示するように、雄パーツ２０の蓋体２５を回動させて雌パーツ３０を被嵌することで、雄パーツ２０と雌パーツ３０が係合し、バンド又はベルトの両端を締着可能にする。また、雄パーツの蓋体２５は、雌パーツ３０に設けられた凹部又は凸部３６に嵌合する凸部又は凹部２６を有することで、雌パーツ３０への被嵌を確実にできる。
【００１２】
なお、バンド又はベルトの両端の脱離は、上記作業を逆に行えばよい。すなわち、図２（Ｂ）→図２（Ａ）→図１（Ｂ）→図１（Ａ）の順である。
【００１３】
次に、図３は、本願考案に係るバンド・ベルト用留具を示す説明用断面図である。
図３に図示するように、雄パーツ２０の蓋体２５が雌パーツ３０を被嵌した状態において（図３（Ｂ）参照）、雄パーツ２０は係止部２１の先端部２２に嵌合する係止受部３１に当接する当接部材２４を備える。これにより、係止受部３１は雄パーツ２０の先端部２２と当接部材２４に挟まれた状態となるので、雄パーツ２０の蓋体２５を開かない限り、雄パーツ２０と雌パーツ３０の係合状態を確実に維持できる。
【産業上の利用可能性】
【００１４】
本願考案は、バンド又はベルトの両端を着脱可能にするために用いられるバンド・ベルト用留具として広く利用できるものである。特に、シンプルな構造であるために多様なデザインバリエーションに対応することができるので、ファッション性の要求されるアイテム或いはアイテムの一部材として広く利用できるものである。
【符号の説明】
【００１５】
１０  バンド・ベルト用留具
２０  雄パーツ
２１  係止部
２２  先端部
２４  当接部材
２５  蓋体
２６  凸部又は凹部
３０  雌パーツ
３１  係止受部
３６  凹部又は凸部
【図１】
0003159863.tif 000003
【図２】
0003159863.tif 000004
【図３】
0003159863.tif 000005